(57)【要約】【課題】狭小な一対の把持部間へ支持ワイヤを容易に誘導することができ、植物の誘引作業をより円滑に行うことができるクリップを提供する。【解決手段】クリップ１は、垂下する支持ワイヤＷに装着され、植物の茎Ｓを支持ワイヤＷに支持する。ばね性の金属板材からなる本体２と、弾性発泡体製の挟持部材３とを具備する。本体２は、一対の湾曲操作部４、ばね板部５、第１，第２の把持爪６，７を具備する。把持爪６，７は、本体２が湾曲したとき、互いに交差することによって、支持ワイヤＷを受け入れるように把持部６ａ，７ａを対向させる。支持ワイヤＷを受け入れ後、本体２の復元力で把持部６ａ，７ａ間に支持ワイヤＷを把持する。本体２の湾曲時に、ガイド面部４ｂが、外広がりのＶ字状に相対向し、２つの把持部６ａ，７ａ間に支持ワイヤＷを滑らせて案内する。【選択図】図５
2017063743.tif 000002
【特許請求の範囲】
【請求項１】
垂下する支持ワイヤに装着され、植物の茎を支持ワイヤに支持するためのクリップであって、
ばね性のある金属板材で形成され、長手方向の一端と他端とを有し、装着時に長手方向の中央部においてばね力に抗して一方向へ湾曲され、伸展状態への復元力により前記支持ワイヤを把持する本体と、
弾性発泡体で形成され、前記本体の湾曲の内側面に固定され、本体の湾曲時に屈折して内側に前記植物の茎を挟持可能な挟持部材と、を具備し、
前記本体は、長手方向の両端側に形成される一対の湾曲操作部と、前記挟持部材の外側面に沿うように延び長手方向の一端において一方の湾曲操作部に連続し長手方向の他端において他方の湾曲操作部に連続するばね板部と、当該ばね板部の長手方向一端部から本体の湾曲の内方へ延出し先端部に一方の湾曲操作部側へＣ字状に屈曲する把持部を有する第１の把持爪と、ばね板部の長手方向他端部から本体の湾曲の内方へ延出し先端部に他方の湾曲操作部側へＣ字状に屈曲する把持部を有する第２の把持爪と、を具備し、
前記第１の把持爪と前記第２の把持爪は、前記本体が湾曲したとき互いに交差することによって、前記支持ワイヤを受け入れるように前記把持部同士を対向させ、本体の伸展状態への復元力により両把持部間に支持ワイヤを把持するように構成され、
前記一対の押圧操作部は、それぞれ前記ばね板部の両端部に連続する押圧面部と、この押圧面部から前記本体の湾曲の内方へ所定角度屈曲して起立するガイド面部と、当該ガイド面部の先端から押圧面部側へ屈曲して端部において押圧面部に接合される下降面部とからなる三角筒状に構成され、
前記一対の押圧操作部のガイド面部は、本体の湾曲時に外広がりのＶ字状に相対向し、それによって相対向した２つの前記把持部間に前記支持ワイヤを滑らせて案内するように配置されることを特徴とする植物の誘引用クリップ。
【発明の詳細な説明】
【技術分野】
【０００１】
本発明は、トマトなどの植物の茎を、垂下するように支持された支持ワイヤに係止して所望の方向へ誘引するクリップに関する。
【背景技術】
【０００２】
従来、植物の誘引用クリップとして、特許文献1に記載されたものが知られている。このクリップは、垂下する支持ワイヤに装着され、植物の茎を支持ワイヤに支持するためのクリップである。ばね性のある金属板材で形成される本体と、弾性発泡体で形成され本体に固定される挟持部材とを具備する。本体は、長手方向の一端と他端とを有し、装着時に長手方向の中央部においてばね力に抗して一方向へ湾曲され、伸展状態への復元力により支持ワイヤを把持する。挟持部材は、本体の湾曲側の内側面に固定され、本体の湾曲時に屈折して内側に植物の茎を挟持可能である。本体は、指をかけて本体を湾曲させるための長手方向両端の湾曲操作部と、挟持部材の外側面に沿うように延びるばね板部と、当該ばね板部の両端部から延出し先端部にＣ字状に屈曲する把持部を有する一対の把持爪とを具備する。一対の把持爪は、本体が湾曲したとき互いに交差することによって、把持部同士を対向させ、両把持部間に支持ワイヤを受け入れ、本体の伸展状態への復元力により両把持部間に支持ワイヤを把持するように構成される。
【先行技術文献】
【特許文献】
【０００３】
【特許文献１】ＷＯ／１９９９／０２２５８７公報
【発明の概要】
【発明が解決しようとする課題】
【０００４】
上記従来の植物誘引用のクリップは、比較的狭小な一対の把持部間へ支持ワイヤを誘導するのが容易でなく、何度か誘導操作を繰り返さざるをえない難点がある。したがって、本発明は、比較的狭小な一対の把持部間へ支持ワイヤを容易に誘導することができ、植物の誘引作業をより円滑に行うことができるクリップを提供することを目的としている。
【課題を解決するための手段】
【０００５】
以下、添付図面の符号を参照して説明するが、本発明はこれに限定されるものではない。
上記課題を解決するための、本発明のクリップ１は、垂下する支持ワイヤＷに装着され、植物の茎Ｓを支持ワイヤＷに支持するためのクリップである。ばね性のある金属板材で形成される本体２と、弾性発泡体で形成され本体２に固定される挟持部材３とを具備する。本体２は、長手方向の一端と他端とを有し、装着時に長手方向の中央部においてばね力に抗して一方向へ湾曲され、伸展状態への復元力により支持ワイヤＷを把持する。挟持部材３は、本体２の湾曲側の内側面に固定され、本体２の湾曲時に屈折し、内側に植物の茎Ｓを挟持可能である。本体２は、長手方向両端部の湾曲操作部４と、両湾曲操作部４間に延びるばね板部５と、ばね板部５の両端部から延出する第１および第２の一対の把持爪６，７とを具備する。ばね板部５は、挟持部材３の外側面に沿うように延び、長手方向の一端において一方の湾曲操作部４に連続し、長手方向の他端において他方の湾曲操作部４に連続する。第１の把持爪６は、ばね板部５の長手方向一端部から本体２の湾曲の内方へ延出し、先端部に一方の湾曲操作部４側へＣ字状に屈曲する把持部６ａを有する。第２の把持爪７は、ばね板部５の長手方向他端部から本体２の湾曲の内方へ延出し、先端部に他方の湾曲操作部４側へＣ字状に屈曲する把持部７ａを有する。第１の把持爪６と前記第２の把持爪７は、本体２が湾曲したとき互いに交差することによって、把持部６ａ，７ａ同士を対向させ、両者間に支持ワイヤＷを受け入れ、本体２の伸展状態への復元力により両把持部６ａ，７ａ間に支持ワイヤＷを把持する。一対の押圧操作部４は、それぞれ押圧面部４ａと、ガイド面部４ｂと、下降面部４ｃとからなる三角筒状に構成される。押圧面部４ａは、ばね板部５の両端部に連続する。ガイド面部４ｂは、押圧面部４ａから本体２の湾曲の内方へ所定角度屈曲して起立する。下降面部４ｃは、ガイド面部４ｂの先端から押圧面部４ａ側へ屈曲して端部において押圧面部４ａに接合される。本体の湾曲時に、一対のガイド面部４ｂが、外広がりのＶ字状に相対向し、それによって相対向した２つの把持部６ａ，７ａ間に支持ワイヤＷを滑らせて案内する。
【発明の効果】
【０００６】
本発明のクリップ１は、押圧操作部４のガイド面部４ｂが、支持ワイヤＷを滑らせて一対の把持部６ａ，７ａ間へ迷いなく案内するので、植物の誘引作業をより円滑に行うことができる。
【図面の簡単な説明】
【０００７】
【図１】本発明に係る植物誘引用クリップの装着状態の斜視図である。
【図２】図１の植物誘引用クリップの装着前の状態の斜視図である。
【図３】図１の植物誘引用クリップの伸展状態の平面図である。
【図４】図１の植物誘引用クリップの伸展状態の背面図である。
【図５】図１の植物誘引用クリップの湾曲状態の平面図である。
【図６】図１の植物誘引用クリップの装着状態の平面図である。
【発明を実施するための形態】
【０００８】
図面を参照して本発明の実施の形態を説明する。
クリップ１は、例えば温室内の上方に水平に張り渡された図示しない吊り線に上端が係止されて垂下する支持ワイヤＷに装着され、植物の茎Ｓを支持ワイヤＷに支持するためのものである。クリップ１は、ばね性のある金属板材で形成される本体２と、弾性発泡体で形成され本体２に固定される挟持部材３とを具備する。
【０００９】
図３，４に示すように、本体２は、長手方向の一端と他端とを有し、図５に示すように装着時に長手方向の中央部においてばね力に抗して一方向へ湾曲され、図６に示すように、伸展状態への復元力により、支持ワイヤＷを把持する。
【００１０】
図３に示すように、挟持部材３は、本体２の湾曲側の内側面に固定され、図６に示す本体２の湾曲時に屈折して内側に植物の茎Ｓを挟持可能である。
【００１１】
本体２は、一対の湾曲操作部４と、ばね板部５と、第１，第２の一対の把持爪６，７とを具備する。
【００１２】
一対の湾曲操作部４は、本体２の長手方向の両端側に形成され、本体２を湾曲させるときに、湾曲の背面側から指を掛けて押圧される。
【００１３】
ばね板部５は、挟持部材３の外側面に沿うように延び、長手方向の一端において一方の湾曲操作部４に連続し、長手方向の他端において他方の湾曲操作部４に連続する。
【００１４】
第１の把持爪６は、ばね板部５の長手方向一端部から本体２の湾曲の内方へ延出する。第１の把持爪６は、先端部に、一方の湾曲操作部４側へＣ字状に屈曲する把持部６ａを有する。
【００１５】
第２の把持爪は、ばね板部５の長手方向他端部から本体２の湾曲の内方へ延出する。第２の把持爪７は、先端部に他方の湾曲操作部側へＣ字状に屈曲する把持部７ａを有する。
【００１６】
したがって、第１の把持爪と第２の把持爪は、図５に示すように、本体２が湾曲したとき、互いに交差することによって、支持ワイヤＷを受け入れるように把持部６ａ，７ａ同士を対向させる。図６に示すように、支持ワイヤＷを受け入れた後、本体２の伸展状態への復元力により両把持部６ａ，７ａ間に支持ワイヤＷを把持する。
【００１７】
本体２の一対の押圧操作部４は、それぞれ押圧面部４ａと、ガイド面部４ｂと、下降面部４ｃとからなる三角筒状に構成される。押圧面部４ａは、ばね板部５の両端部に連続する。ガイド面部４ｂは、押圧面部４ａから本体２の湾曲の内方へ所定角度屈曲して起立する。下降面部４ｃは、ガイド面部４ｂの先端から押圧面部４ａ側へ屈曲して端部において押圧面部４ａに接合される。
【００１８】
一対のガイド面部４ｂは、図５に示す本体２の湾曲時に、外広がりのＶ字状に相対向し、それによって相対向した２つの把持部６ａ，７ａ間に支持ワイヤＷを滑らせて確実に案内する。
【００１９】
図２に示す本体の伸展状態において、湾曲の背面側を掌に向け、一方の押圧操作部４の親指を掛け、他方の押圧操作部４に人差し指、中指を掛けた状態で、他方の手で茎Ｓを持って、挟持部材に当て、図５に示すように、本体２を挟持部材３と共に湾曲させることで、挟持部材３により茎Ｓを挟持する。この状態で、第１の把持爪と第２の把持爪が交差し、把持部６ａ，７ａが対向する。事由になった他方の手で支持ワイヤをつかみ、把持部６ａ，７ａ間に導く。このとき、押圧ガイド面部が、支持ワイヤを滑らせて一対の把持部間へ迷いなく案内するので、植物の誘引作業をより円滑に行うことができる。図６に示すように、支持ワイヤＷを受け入れた後、手を離せば、本体２の伸展状態への復元力により両把持部６ａ，７ａ間に支持ワイヤＷが把持され、それによって、植物の茎Ｓが支持ワイヤＷに支持される。
【符号の説明】
【００２０】
１      クリップ
２      本体
３      挟持部材
４      押圧操作部
４ａ    押圧面部
４ｂ    ガイド面部
４ｃ    下降面部
５      ばね板部
６      第１の把持爪
６ａ    把持部
７      第２の把持爪
７ａ    把持部
Ｓ      茎
Ｗ      支持ワイヤ
【図１】
2017063743.tif 000003
【図２】
2017063743.tif 000004
【図３】
2017063743.tif 000005
【図４】
2017063743.tif 000006
【図５】
2017063743.tif 000007
【図６】
2017063743.tif 000008
【手続補正書】
【提出日】平成28年11月30日(2016.11.30)
【手続補正１】
【補正対象書類名】特許請求の範囲
【補正対象項目名】全文
【補正方法】変更
【補正の内容】
【特許請求の範囲】
【請求項１】
垂下する支持ワイヤに装着され、植物の茎を支持ワイヤに支持するためのクリップであって、
ばね性のある金属板材で形成され、長手方向の一端と他端とを有し、装着時に長手方向の中央部においてばね力に抗して一方向へ湾曲され、伸展状態への復元力により前記支持ワイヤを把持する本体と、
弾性発泡体で形成され、前記本体の湾曲の内側面に固定され、本体の湾曲時に屈折して内側に前記植物の茎を挟持可能な挟持部材と、を具備し、
前記本体は、長手方向の両端側に形成される一対の湾曲操作部と、前記挟持部材の外側面に沿うように延び長手方向の一端において一方の湾曲操作部に連続し長手方向の他端において他方の湾曲操作部に連続するばね板部と、当該ばね板部の長手方向一端部から本体の湾曲の内方へ延出し先端部に一方の湾曲操作部側へＣ字状に屈曲する把持部を有する第１の把持爪と、ばね板部の長手方向他端部から本体の湾曲の内方へ延出し先端部に他方の湾曲操作部側へＣ字状に屈曲する把持部を有する第２の把持爪と、を具備し、
前記第１の把持爪と前記第２の把持爪は、前記本体が湾曲したとき互いに交差することによって、前記支持ワイヤを受け入れるように前記把持部同士を対向させ、本体の伸展状態への復元力により両把持部間に支持ワイヤを把持するように構成され、
前記一対の湾曲操作部は、それぞれ前記ばね板部の両端部に連続する押圧面部と、この押圧面部から前記本体の湾曲の内方へ所定角度屈曲して起立するガイド面部と、当該ガイド面部の先端から押圧面部側へ屈曲して端部において押圧面部に接合される下降面部とからなる三角筒状に構成され、
前記一対の湾曲操作部のガイド面部は、前記本体が湾曲して前記一対の湾曲操作部間が接近したとき、前記第１の把持爪と前記第２の把持爪の相対向した２つの把持部間の中央に収束する外広がりのＶ字状に相対向するように角度設定され、それによって２つの前記把持部間の中央に前記支持ワイヤを滑らせて案内するように配置されることを特徴とする植物の誘引用クリップ。
【手続補正２】
【補正対象書類名】明細書
【補正対象項目名】０００５
【補正方法】変更
【補正の内容】
【０００５】
以下、添付図面の符号を参照して説明するが、本発明はこれに限定されるものではない。
上記課題を解決するための、本発明のクリップ１は、垂下する支持ワイヤＷに装着され、植物の茎Ｓを支持ワイヤＷに支持するためのクリップである。ばね性のある金属板材で形成される本体２と、弾性発泡体で形成され本体２に固定される挟持部材３とを具備する。本体２は、長手方向の一端と他端とを有し、装着時に長手方向の中央部においてばね力に抗して一方向へ湾曲され、伸展状態への復元力により支持ワイヤＷを把持する。挟持部材３は、本体２の湾曲側の内側面に固定され、本体２の湾曲時に屈折し、内側に植物の茎Ｓを挟持可能である。本体２は、長手方向両端部の湾曲操作部４と、両湾曲操作部４間に延びるばね板部５と、ばね板部５の両端部から延出する第１および第２の一対の把持爪６，７とを具備する。ばね板部５は、挟持部材３の外側面に沿うように延び、長手方向の一端において一方の湾曲操作部４に連続し、長手方向の他端において他方の湾曲操作部４に連続する。第１の把持爪６は、ばね板部５の長手方向一端部から本体２の湾曲の内方へ延出し、先端部に一方の湾曲操作部４側へＣ字状に屈曲する把持部６ａを有する。第２の把持爪７は、ばね板部５の長手方向他端部から本体２の湾曲の内方へ延出し、先端部に他方の湾曲操作部４側へＣ字状に屈曲する把持部７ａを有する。第１の把持爪６と前記第２の把持爪７は、本体２が湾曲したとき互いに交差することによって、把持部６ａ，７ａ同士を対向させ、両者間に支持ワイヤＷを受け入れ、本体２の伸展状態への復元力により両把持部６ａ，７ａ間に支持ワイヤＷを把持する。一対の湾曲操作部４は、それぞれ押圧面部４ａと、ガイド面部４ｂと、下降面部４ｃとからなる三角筒状に構成される。押圧面部４ａは、ばね板部５の両端部に連続する。ガイド面部４ｂは、押圧面部４ａから本体２の湾曲の内方へ所定角度屈曲して起立する。下降面部４ｃは、ガイド面部４ｂの先端から押圧面部４ａ側へ屈曲して端部において押圧面部４ａに接合される。本体の湾曲時に、一対のガイド面部４ｂが、外広がりのＶ字状に相対向し、それによって相対向した２つの把持部６ａ，７ａ間に支持ワイヤＷを滑らせて案内する。
【手続補正３】
【補正対象書類名】明細書
【補正対象項目名】０００６
【補正方法】変更
【補正の内容】
【０００６】
本発明のクリップ１は、湾曲操作部４のガイド面部４ｂが、支持ワイヤＷを滑らせて一対の把持部６ａ，７ａ間へ迷いなく案内するので、植物の誘引作業をより円滑に行うことができる。
【手続補正４】
【補正対象書類名】明細書
【補正対象項目名】００１７
【補正方法】変更
【補正の内容】
【００１７】
本体２の一対の押圧操作部４は、それぞれ押圧面部４ａと、ガイド面部４ｂと、下降面部４ｃとからなる三角筒状に構成される。押圧面部４ａは、ばね板部５の両端部に連続する。ガイド面部４ｂは、押圧面部４ａから本体２の湾曲の内方へ所定角度屈曲して起立する。下降面部４ｃは、ガイド面部４ｂの先端から押圧面部４ａ側へ屈曲して端部において押圧面部４ａに接合される。
【手続補正５】
【補正対象書類名】明細書
【補正対象項目名】００１８
【補正方法】変更
【補正の内容】
【００１８】
一対のガイド面部４ｂは、図５に示す本体２の湾曲時に、相対向した２つの把持部６ａ，７ａ間の中央に収束する外広がりのＶ字状に相対向し、それによって２つの把持部６ａ，７ａ間の中央に支持ワイヤＷを滑らせて確実に案内する。
【手続補正６】
【補正対象書類名】明細書
【補正対象項目名】００１９
【補正方法】変更
【補正の内容】
【００１９】
図２に示す本体の伸展状態において、湾曲の背面側を掌に向け、一方の押圧操作部４の親指を掛け、他方の押圧操作部４に人差し指、中指を掛けた状態で、他方の手で茎Ｓを持って、挟持部材に当て、図５に示すように、本体２を挟持部材３と共に湾曲させることで、挟持部材３により茎Ｓを挟持する。この状態で、第１の把持爪と第２の把持爪が交差し、把持部６ａ，７ａが対向する。自由になった他方の手で支持ワイヤをつかみ、把持部６ａ，７ａ間に導く。このとき、ガイド面部４ｂが、支持ワイヤＷを滑らせて一対の把持部６ａ，７ａ間の中央へ迷いなく案内するので、植物の誘引作業をより円滑に行うことができる。図６に示すように、支持ワイヤＷを受け入れた後、手を離せば、本体２の伸展状態への復元力により両把持部６ａ，７ａ間に支持ワイヤＷが把持され、それによって、植物の茎Ｓが支持ワイヤＷに支持される。
【手続補正７】
【補正対象書類名】明細書
【補正対象項目名】００２０
【補正方法】変更
【補正の内容】
【００２０】
１      クリップ
２      本体
３      挟持部材
４      湾曲操作部
４ａ    押圧面部
４ｂ    ガイド面部
４ｃ    下降面部
５      ばね板部
６      第１の把持爪
６ａ    把持部
７      第２の把持爪
７ａ    把持部
Ｓ      茎
Ｗ      支持ワイヤ